(57)【要約】【課題】指先作業による前処理をすることなく、２本の釣糸を八の字結びに接続する結び目形成具を提供する。【解決手段】把手２の一端に横幅方向に離隔した第１の係止片３と第２の係止片４を把手２の長手方向に沿って夫々延設する。第１の係止片３の基部と第２の係止片４の基部との間には開口を有する溝７を設けている。溝７の開口の口端には係止溝５、６を備えている。第１の係止片３は第２の係止片４よりも長く形成され、屈曲部８に於いて把手１の延長線に対して傾斜角が０°を超えて９０°未満を満足するように屈曲している。【選択図】        図１
2004275170.tif 000002
【特許請求の範囲】
【請求項１】
一方向に著しく長い偏平な棒状体よりなる把手の一端に、横幅方向に互いに離隔して第１の係止片と第２の係止片を前記把手の長手方向に沿って夫々延設し、前記第１の係止片の基部と前記第２の係止片の基部との間には釣糸が出入可能な開口を有する溝を設け、前記開口の口端は鉤状に形成されて係止溝となしたことを特徴とする結び目形成具，
【請求項２】
上記第１の係止片が、長手方向中途位置に於いて屈曲され、把手延長線対して傾斜角θが０＜θ＜９０°を満足するように上傾し、第２の係止片の先端は前記第１の係止片の長手方向中途位置屈曲部と略対応する位置まで延設されてなることを特徴とする請求項１記載の結び目形成具。
【発明の詳細な説明】
【０００１】
【発明の属する技術分野】
本発明は釣糸用の結び目形成具に関し、詳しくは幹糸若しくは導糸にハリスを八の字結びにより接続するのに使用され、或は釣糸を結び目を形成することにより環状部を形成するのに使用される結び目形成具に関する
【０００２】
【従来の技術】
従来、釣人が幹糸若しくは導糸にハリスを八の字結びにより接続する場合、接続する２本の糸を撚り合わせる等して指先作業でのみ行うことや、手芸用鉤針を用い鉤部に糸を引っ掛けて行うことが一般的である。
又、連続した１本の釣糸に環状部（チチ輪）を設けるための結び目形成具としては把手の一端に棒状体を連設し、この棒状体の中途部位と先端に前記把手方向に反り返り互いに略平行な第１、第２の係止部を設け、この第１、第２の係止部に釣糸を引っ掛けて環状部を形成するようにした構成のものが提案されている（例えば、特開２００１−１２８６０２号公報参照）。
【０００３】
【発明が解決しようとする課題】
しかしながら、上記従来例の八の字結び形成方法のうち指先作業のみで形成する場合であると手間を要し、特に初心者には不慣れなため極めて困難であり、又、手芸用鉤針を用いる場合であると、通常の釣糸はナイロン糸やポリエステル糸よりなるため表面の摩擦抵抗が小さいので鉤部に引っ掛かりにくく、仮に引っ掛かった場合、鉤糸の復元力で鉤部より外れやすいため八の字結びの形成が極めて困難であるという問題点があった。
又、特開２００１−１２８６０２０号公報記載のものであると、明細書中【００２３】の段の記載、図面中【図４】（ａ）〜（ｃ）および【図５】（ａ）（ｂ）に示すように、予め指先作業により第１環状部を形成するという前処理をしなければならず作業性が悪いという問題点があった。
本願発明は上記諸事情に鑑みて創案されたもので、把手の一端に横幅方向に離隔した第１、第２の係止片を把手の長手方向に沿って延設し、これら第１、第２の係止片の基部内側には係止溝を形成することにより、釣糸を容易に係止溝に掛止可能にし、結び目形成作業の向上を図ることを目的とする。
【０００４】
【課題を解決するための手段】
本願発明のうち請求項１記載の発明は、一方向に著しく長い偏平な棒状体よりなる把手の一端に、横幅方向に互いに離隔して第１の係止片と第２の係止片を前記把手の長手方向に沿って夫々延設し、前記第１の係止片の基部と前記第２の係止片の基部との間には釣糸が出入可能な開口を有する溝を設け、前記開口の口端は鉤状に形成されて係止溝となしたことを特徴とする。
請求項２記載の発明は、上記第１の係止片が、長手方向中途位置に於いて屈曲され、把手延長線に対して傾斜角θが０＜θ＜９０°を満足するように上傾し、第２の係止片の先端は前記第１の係止片の長手方向中途位置屈曲部と略対応する位置まで延設されてなることを特徴とする。
【０００５】
【発明の実施の形態】
以下、図を参照にして本発明の実施例について説明する。
【実施例１】
図１は結び目形成具の平面図、図２は正面図、図３は拡大左側面図である。図１〜図３において、結び目形成具１は防錆性を有する金属や硬質性合成樹脂を材料とする。特に、ステンレススチールを材料とし一体成型されたものの全表面にニフグリップ処理による被膜を形成したものであることが最適である。ニフグリップ処理は、ステンレススチール等の金属に対し無電解ニッケルとテフロンを処理液中で共析させ、被膜中にテフロンを容積比に対し１０〜３０％まで均一に含ませ、成膜後に熱処理を行い、無電解ニッケルとテフロンを金属表面に強固に密着させる処理をいう。結び目形成具１は、一方向に著しく長い偏平な棒状体に形成された把手２の長手方向に一端に、第１の係止片３、第２の係止片４、釣糸が出入可能な開口を有しこの開口端に第１、第２の係止溝５、６を備えた溝７を設けて構成されている。より詳細に説明すると、偏平な一方向に著しく長い棒状体把手２の一端より、横幅方向に所定距離離隔して第１の係止片３と第２の係止片４が把手２の長手方向に延設されている。第１の係止片３はその長手方向中途部位で屈曲し、この屈曲部８より把手２の延長線に対し所定の傾斜角度θを有して上向きに傾斜している。傾斜角度θは３０°程度であることが最適であるが、０＜θ＜９０°に設定されていればよい。理由は、八の字結びを形成する場合、一方の手の平の範囲内で指先間に緊張した釣糸に対し、他方の手に持つ結び目形成具の把手２を釣糸に対して略平行に位置させ、この位置で結び目形成具先端部に釣糸を引っ掛けるため、先端部が釣糸を引っ掛け可能な程度に把手２に対して傾斜していれば足りるためである。第１の係止片３は基部から屈曲部８にかけて幅狭になるように内側面が僅かばかり外傾されている。第２の係止片４は、第１の係止片３の内側面と略平行になるように僅かばかり第１の係止片３側に傾斜し、把手２の一端から屈曲部８対応位置まで把手２の長手方向に沿って延設されている。第１の係止片３と第２の係止片４の基部は、開口を有する溝７により互いに離隔形成され、溝７の開口両端には鉤状に形成された第１の係止溝５と第２の係止溝６を備えている。
【０００６】
次に作用について説明する。まず、図４（ａ）に示すように、２本の釣糸９、１０の上側を片方の手の親指と人差指で下側を小指と薬指で夫々挟持して緊張し、第１の係止片３の先端を下向きにして結び目形成具１を緊張した釣糸９、１０と手の平との間に差し入れる。結び目形成具１の把手２に釣糸９、１０を引っ掛けた状態で結び目形成具１を９０°回動して図４（ｂ）に示すように起こし、次に図４（ｂ）中の矢印で示す方向に結び目形成具１のうち一端側を移動させる。結び目形成具１の側部には、図４（ｃ）に示す交差部１１が形成され、この交差部１１を固定した状態で、図４（ｄ）に示すように結び目形成具１を起こす。
図４（ｅ）に示すように、釣糸９、１０のうち交差部１１の上側部を溝７内に入れ係止溝５に係止する。この状態で、図４（ｆ）に示すように、結び目形成具１を図４（ｆ）中の矢印方向に引き抜く。図（ｇ）に示すように釣糸９と釣糸１０はハの字結びにより接続され、釣糸１０は釣糸９に対して下向きの放物線状に垂れる。１２は重錘、１３は釣針である。
結び目形成具１は溝７の開口両端が係止溝５、６に形成されているので、２本の釣糸９、１０を溝７内に入れて釣糸９、１０を手前に引き抜く場合に、釣糸９、１０が第１の係止溝５若しくは第２の係止溝６のいずれかに引っ掛かり、結び目形成具１より釣糸９、１０が外れることなく極めて容易に結び目を形成することができる。又、結び目形成具１の外側面には段差を設けていないので、結び目形成具１を巻着された釣糸９、１０内側を引き抜く場合に、摩擦抵抗が極めて小さくスムーズに引き抜くことができる。
【０００７】
【実施例２】
図５〜図７に示される実施例について説明する。本実施例の結び目形成具は釣糸に環状部の結ぶ目を形成するのに用いることも可能なものであり、前述の図１〜図４に示される実施例と異なる点は、把手２の一端側が幅狭になるように両側面に段差を設けて係止部１４を形成したことである。この係止部１４に釣糸を係止し、釣糸に結び目を形成して環状部を設けることができる。
【０００８】
【実施例３】
図８〜図１０に示される実施例について説明する。把手２の一端には横幅方向に離隔して係止片１５、１５を対設している。溝１６は、係止片１５、１５の基部間に開口し、開口両端は鉤状に形成して釣糸を係止するための係止溝１７、１７となしている。
【０００９】
【発明の効果】
本発明は、把手の一端に横幅方向に離隔して２の係止片を延設し、これら係止片の基部間に開口する溝の開口両端を係止溝に形成しているので、ナイロン糸等の弾性を有する釣糸を係止溝に係止した状態で、緩い結び目の内側を容易に引き抜くことができ、結果的に簡単な作業で八の字結びを形成することができるという効果がある。
又、把手に段差を設けて係止部を形成することにより、この係止部に釣糸を引っ掛け、環状部の結び目を極めて容易に形成することができるという効果がある。
【図面の簡単な説明】
【図１】結び目形成具の平面図である。
【図２】正面図である。
【図３】拡大左側面図である。
【図４】図１〜図３の結び目形成具を用いて２本の釣り糸を八の字結びにより接続する手順を示す説明図である。
【図５】結び目形成具の平面図である。
【図６】背面図である。
【図７】拡大左側面図である。
【図８】平面図である。
【図９】正面図である。
【図１０】拡大左側面図である。
【符号の説明】
１  結び目形成具
２  把手
３  第１の係止片
４  第２の係止片
５、６、１７  係止溝
７、１６  溝
８  屈曲部
９、１０  釣糸
１５  係止片
【図１】
2004275170.tif 000003
【図２】
2004275170.tif 000004
【図３】
2004275170.tif 000005
【図４】
2004275170.tif 000006
【図５】
2004275170.tif 000007
【図６】
2004275170.tif 000008
【図７】
2004275170.tif 000009
【図８】
2004275170.tif 000010
【図９】
2004275170.tif 000011
【図１０】
2004275170.tif 000012
【手続補正書】
【提出日】平成15年6月13日(2003.6.13)
【手続補正１】
【補正対象書類名】明細書
【補正対象項目名】０００６
【補正方法】変更
【補正の内容】
【０００６】
次に作用について説明する。まず、図４（ａ）に示すように、２本の釣糸９、１０の上側を片方の手の親指と人差指で下側を小指と薬指で夫々挟持して緊張し、第１の係止片３の先端を下向きにして結び目形成具１を緊張した釣糸９、１０と手の平との間に差し入れる。結び目形成具１の把手２に釣糸９、１０を引っ掛けた状態で結び目形成具１を９０°回動して図４（ｂ）に示すように起こし、次に図４（ｂ）中の矢印で示す方向に結び目形成具１のうち一端側を移動させる。結び目形成具１の側部には、図４（ｃ）に示す交差部１１が形成され、この交差部１１を固定した状態で、図５（ａ）に示すように結び目形成具１を起こす。図５（ｂ）に示すように、釣糸９、１０のうち交差部１１の上側部を溝７内に入れ係止溝５に係止する。この状態で、図５（ｃ）に示すように、結び目形成具１を図５（ｃ）中の矢印方向に引き抜く。図５（ｄ）に示すように釣糸９と釣糸１０は八の字結びにより接続され、釣糸１０は釣糸９に対して下向きの放物線状に垂れる。１２は重錘、１３は釣針である。
結び目形成具１は溝７の開口両端が係止溝５、６に形成されているので、２本の釣糸９、１０を溝７内に入れて釣糸９、１０を手前に引き抜く場合に、釣糸９、１０が第１の係止溝５若しくは第２の係止溝６のいずれかに引っ掛かり、結び目形成具１より釣糸９、１０が外れることなく極めて容易に結び目を形成することができる。又、結び目形成具１の外側面には段差を設けていないので、結び目形成具１を巻着された釣糸９、１０内側を引き抜く場合に、摩擦抵抗が極めて小さくスムーズに引き抜くことができる。


【手続補正２】
【補正対象書類名】明細書
【補正対象項目名】０００７
【補正方法】変更
【補正の内容】
【０００７】
【実施例２】
図６〜図８に示される実施例について説明する。本実施例の結び目形成具は釣糸に環状部の結び目を形成するのに用いることも可能なものであり、前述の図１〜図５に示される実施例と異なる点は、把手２の一端側が幅狭になるように両側面に段差を設けて係止部１４を形成したことである。この係止部１４に釣糸を係止し、釣糸に結び目を形成して環状部を設けることができる。


【手続補正３】
【補正対象書類名】明細書
【補正対象項目名】０００８
【補正方法】変更
【補正の内容】
【０００８】
【実施例３】
図９〜図１１に示される実施例について説明する。把手２の一端には横幅方向に離隔して係止片１５、１５を対設している。溝１６は、係止片１５、１５の基部間に開口し、開口両端は鉤状に形成して釣糸を係止するための係止溝１７、１７となしている。


【手続補正４】
【補正対象書類名】明細書
【補正対象項目名】図面の簡単な説明
【補正方法】変更
【補正の内容】
【図面の簡単な説明】
【図１】結び目形成具の平面図である。
【図２】正面図である。
【図３】拡大左側面図である。
【図４】図１〜図３の結び目形成具を用いて２本の釣り糸を八の字結びにより接続する手順を示す説明図である。
【図５】図１〜図３の結び目形成具を用いて２本の釣り糸を八の字結びにより接続する手順を示す説明図である。
【図６】結び目形成具の平面図である。
【図７】背面図である。
【図８】拡大左側面図である。
【図９】平面図である。
【図１０】正面図である。
【図１１】拡大左側面図である。
【符号の説明】
１  結び目形成具
２  把手
３  第１の係止片
４  第２の係止片
５、６、１７  係止溝
７、１６  溝
８  屈曲部
９、１０  釣糸
１５  係止片


【手続補正５】
【補正対象書類名】図面
【補正対象項目名】全図
【補正方法】変更
【補正の内容】
【図１】
2004275170.tif 000013
【図２】
2004275170.tif 000014
【図３】
2004275170.tif 000015
【図４】
2004275170.tif 000016
【図５】
2004275170.tif 000017
【図６】
2004275170.tif 000018
【図７】
2004275170.tif 000019
【図８】
2004275170.tif 000020
【図９】
2004275170.tif 000021
【図１０】
2004275170.tif 000022
【図１１】
2004275170.tif 000023